(57)【特許請求の範囲】
【請求項１】
本体と、前記本体に設けられ前面から上面にかけて開口する開口部を有する洗浄槽と、食器等の被洗浄物を収納すると共に前記洗浄槽内に収容される食器カゴと、前記開口部を開閉する扉体とを備え、前記本体の上部形状を前面から背面にかけて上方へ膨出する略円弧状に形成し、前記扉体を、前記開口部の上面を外側へ開く上扉と、前記開口部の前面を下方へ開く下扉とで構成すると共に、前記扉体を移動終了時点まで完全に開成した状態では、前記上扉は上部先端部が背面側に位置して前記開口部を閉成した状態とは上下が逆転するように構成し、前記上扉の内側上層部に、前記上扉を完全に開成した状態で前記上扉の内壁に付着した水滴を受ける水受けリブを配設した食器洗い機。
【請求項２】
上扉に、排気窓と、前記排気窓の開口部を覆う蓋体とを設け、前記蓋体の上部先端部に水受けリブを配設した請求項１に記載の食器洗い機。
【請求項３】
上扉を閉成したとき、水受けリブにたまった水は開口部から洗浄槽内に戻る請求項１または２に記載の食器洗い機。
【発明の詳細な説明】
【技術分野】
【０００１】
本発明は、洗浄水を噴射して食器等の被洗浄物の洗浄を行う食器洗い機に関するものである。
【背景技術】
【０００２】
従来、この種の食器洗い機は、図７示すように構成されていた。以下、その構成について説明する。
【０００３】
図７において、従来の食器洗い機では、食器カゴ１０５への食器等の被洗浄物１０６のセットと取り出しを容易にするために、本体１０１に設けられた開口部１０２は、本体１０１の前面から上面にかけてその上部が後方へ傾斜するように設けられている。前記開口部１０２を開閉する扉体１０７は、前記本体１０１上部の外側へ開く上扉１０３と、前記開口部１０２を下方へ開く下扉１０４で構成されている。前記本体１０１の前面上部の形状は上方へ膨出する略円弧状に形成されている。前記本体１０１内には、被洗浄物１０６をセットする食器カゴ１０５が、開かれた前記開口部１０２から本体１０１の前方に引き出し可能に収容されている（例えば、特許文献１参照）。
【特許文献１】特開２００２−２１９０８３号公報
【発明の開示】
【発明が解決しようとする課題】
【０００４】
しかしながら、上記従来の食器洗い機の構成では、本体１０１の上部の開口がほとんどないため、扉体１０７の開成時に、上扉１０３が開口部１０２を少しでも覆わないよう突出量を少なくするように構成していた。扉体１０７の開成時に上扉１０３の突出量を少なくすることは、すなわち下扉１０４が長くなることであり、扉体１０７の開成時の下扉１０４の本体１０１の前方への飛び出し量は多くなる。そして、台所のシンクサイドに食器洗い機を設置する場合、本体１０１は置けるが、扉体１０７の開成時に水道栓（図示せず）に接触するため食器カゴ１０５が引き出しづらくなり、被洗浄物１０６のセット性を著しく損なうという課題があった。
【０００５】
また逆に、上扉１０３の長さを長くすると、扉体１０７を開いた時に、開口部１０２の上端部を上扉１０３が覆うことになり、特に、食器カゴ１０５の上段部分への被洗浄物１０６のセットと取り出しが行い難くなるという課題に加え、扉体１０７の開閉動作により水滴が本体１０１に滴下するという課題があった。
【０００６】
本発明は、上記従来の課題を解決するもので、食器カゴへの被洗浄物のセットと取り出しを容易にして、被洗浄物のセット性を格段に向上させるとともに、扉体開閉時に本体に水滴が垂れることを防止し、水滴が本体をつたってシンクにたどり着かないようにし、本体およびシンクを常に清潔に保つとともに、製品の背面部に配設されている電源コード部への水滴付着をなくし安全性を向上させた食器洗い機を提供することを目的とするものである。
【課題を解決するための手段】
【０００７】
上記従来の課題を解決するために、本発明の食器洗い機は、本体と、前記本体に設けられ前面から上面にかけて開口する開口部を有する洗浄槽と、食器等の被洗浄物を収納すると共に前記洗浄槽内に収容される食器カゴと、前記開口部を開閉する扉体とを備え、前記本体の上部形状を前面から背面にかけて上方へ膨出する略円弧状に形成し、前記扉体を、前記開口部の上面を外側へ開く上扉と、前記開口部の前面を下方へ開く下扉とで構成すると共に、前記扉体を移動終了時点まで完全に開成した状態では、前記上扉は上部先端部が背面側に位置して前記開口部を閉成した状態とは上下が逆転するように構成し、前記上扉の内側上層部に、前記上扉を完全に開成した状態で前記上扉の内壁に付着した水滴を受ける水受けリブを配設したもので、洗浄槽上部の開口を大きくとることができ、本体上部か
らの食器カゴへの被洗浄物のセットと取り出しを容易にして、被洗浄物のセット性を格段に向上させることができるとともに、扉体の開閉時に略円弧状の本体に水滴が垂れるのを防止することができるので、水滴が本体をつたってシンクにたどり着くことが無く、本体およびシンクを清潔に保てるとともに、本体の背面部に配設されている電源コードの取りつけ部などに水滴が付着することがなく、安全性を向上させることができる。
【発明の効果】
【０００８】
本発明の食器洗い機は、本体上部からの食器カゴへの被洗浄物のセットと取り出しを容易にして、被洗浄物のセット性を格段に向上させることができるとともに、扉体の開閉時に略円弧状の本体に水滴が垂れるのを防止することができるので、水滴が本体をつたってシンクにたどり着くことが無く、本体およびシンクを清潔に保てるとともに、本体の背面部に配設されている電源コードの取りつけ部などに水滴が付着することがなく、安全性を向上させることができる。
【発明を実施するための最良の形態】
【０００９】
第１の発明は、本体と、前記本体に設けられ前面から上面にかけて開口する開口部を有する洗浄槽と、食器等の被洗浄物を収納すると共に前記洗浄槽内に収容される食器カゴと、前記開口部を開閉する扉体とを備え、前記本体の上部形状を前面から背面にかけて上方へ膨出する略円弧状に形成し、前記扉体を、前記開口部の上面を外側へ開く上扉と、前記開口部の前面を下方へ開く下扉とで構成すると共に、前記扉体を移動終了時点まで完全に開成した状態では、前記上扉は上部先端部が背面側に位置して前記開口部を閉成した状態とは上下が逆転するように構成し、前記上扉の内側上層部に、前記上扉を完全に開成した状態で前記上扉の内壁に付着した水滴を受ける水受けリブを配設したもので、洗浄槽上部の開口を大きくとることができ、本体上部からの食器カゴへの被洗浄物のセットと取り出しを容易にして、被洗浄物のセット性を格段に向上させることができるとともに、扉体の開閉時に略円弧状の本体に水滴が垂れるのを防止することができるので、水滴が本体をつたってシンクにたどり着くことが無く、本体およびシンクを清潔に保てるとともに、本体の背面部に配設されている電源コードの取りつけ部などに水滴が付着することがなく、安全性を向上させることができる。
【００１０】
第２の発明は、特に、第１の発明の上扉に、排気窓と、前記排気窓の開口部を覆う蓋体とを設け、前記蓋体の上部先端部に水受けリブを配設したもので、扉体の開閉角度に合わせて、水受けリブの角度を自由に設定することができるので、水滴の落下および飛び散りをより確実に防止することができる。
【００１１】
以下、本発明の実施の形態について、図面を参照しながら説明する。なお、本実施の形態によって本発明が限定されるものではない。
【００１２】
（実施の形態１）
以下に、本発明の第１の実施の形態における食器洗い機について、図１〜５を用いて説明する。図１は、本実施の形態における食器洗い機の断面図である。
【００１３】
図１において、１は、本実施の形態における食器洗い機の本体であり、この本体１を外側方から見たときの上部の外郭形状は、前面１ａから背面１ｂにかけて上方へ膨出する略円弧状に形成した円弧状部１ｃを有している。また、本体１の前面形状は、略平面で形成した平面部１ｄを有している。２は、食器等の被洗浄物１９を収納する食器カゴ３を収容する洗浄槽で本体１に内装されている。洗浄槽２の上部形状は、本体１上部の円弧状部１ｃの内面に沿うように上面から背面にかけて上方へ膨出するように略円弧状に形成し、前面から上面にかけて開口する開口部４を有すると共に、この開口部４を閉塞する開閉自在な扉体５を備えている。
【００１４】
扉体５は、洗浄槽２の上面に設けられた開口部４を本体１上部の外側へ開く上扉６と、洗浄槽２の前面に設けられた開口部４を下方へ開く下扉７で構成されており、上扉６は、洗浄槽２の内部を視認するための窓８を備えている。上扉６の縦断面形状は、本体１の上面形状と同じく外方へ膨出する略円弧状に形成しており、本体１上部の円弧状部１ｃに沿うように移動して開口部４を開閉するようになっている。
【００１５】
食器カゴ３は、上段カゴ９と下段カゴ１０の上下二段で構成されており、上段カゴ９は、下段カゴ１０と構成部材を共用している。そして、食器カゴ３は、側面に摺動部１１を有すると共に、洗浄槽２の内側面に設けた支持部１２により前後方向に摺動可能に支持されており、下扉７を開いた時に下扉７上に引き出し可能である。
【００１６】
１３は、洗浄ポンプ１４により加圧された洗浄水を、被洗浄物１９に向けて噴射する洗浄ノズルである。洗浄槽２の下部には、洗浄水を加熱するヒータ１５を配置している。１６は、洗浄槽２の下部に設けられた制御装置であり、洗浄ポンプ１４やヒータ１５等を制御するものである。
【００１７】
また、図２〜図４に示すように、開口部４は、本体１の前面１ａと、前面１ａから上面にかけて外方へ膨らむように設けた円弧状部１ｃを含むように形成されており、開口部４の上端部３９は、本体１の前面１ａから上方へ膨出する略円弧状の本体１上面の頂部１７まで開口する構成としており、本体１の上部面積の前面１ａ側の略半分が開口している（線分Ｃは、頂部１７上の線で、開口部４の上端部３９はその近傍に位置する）。洗浄槽２の前面から上面にかけて設けられた開口部４を覆う上扉６と下扉７の係合部１８は、平面部１ｄの位置に設けており、上扉６側に設けたシール部材２１と、下扉７側に設けたシール受け部２２によって、上扉６と下扉７をシールする構成を有する。
【００１８】
上扉６および下扉７にはそれぞれ上扉支持部２３、下扉支持部２４が具備されており、洗浄槽２の側面に設けられた上扉回動軸２５、下扉回動軸２６により回動自在に軸支されている。上扉支持部２３上には移動軸２７が設けられるとともに、洗浄槽２の側面には移動軸２７が移動する移動溝２８が設けられており、移動軸２７は、移動溝２８に対して回動自在に移動する。上扉６と下扉７は、第１の連動部材２９と第２の連動部材３０によって連結され、下扉７の下方への回動に連動して上扉６が上方へ回動する構成としている。
【００１９】
第１の連動部材２９の一端は、下扉７に固定され、他端は、連動部材間回動軸３１を有し、第２の連動部材３０の一端に設けられた連動部材間回動穴３２との間で回動自在に軸支されている。第２の連動部材３０の他端に設けられた上扉連動穴３３は、上扉支持部２３に設けられた上扉連動回動軸３４との間で回動自在に軸支されている。開口部４を開いた時の扉体５の位置規制を行うために、第２の連動部材３０にストッパー部３５を設け、このストッパー部３５が当接するストッパー受け部３６を本体１の側面に設けている。
【００２０】
上扉支持部２３は、上扉６を閉じたときに、上扉６の側面に設けられたカバー３７により覆われて収納されるように構成している。上扉支持部２３、第１の連動部材２９、第２の連動部材３０、移動溝２８など、扉体５を支持し回動させる機構部品は、本体１の側部の両側に設けられており本体側面ボディ３８により覆われるものである。また、上扉支持部２３は、扉体５の開成動作終了時に、本体１の上方へ膨出する円弧状部１ｃと交差する位置（点Ｄ）が、開口部４の上端部３９より後方になるように構成している。
【００２１】
次に、上記構成における扉体５の動作について説明する。
【００２２】
上扉６および下扉７は、連動構成を有するため、下扉回動軸２６を中心に下扉７を矢印イ方向へ下方に回動操作することにより、上扉６もこれに連動して矢印ロ方向へ回動し開口部４が開かれる。また、開口部４を開いた時、上扉６は、上扉回動軸２５を中心に本体後方へ移動するが、移動終了時点では上扉支持部２３が開口部４の上端部３９より後方まで移動した時点で、ストッパー部３５がストッパー受け部３６に接触して上扉６および下扉７は停止し、それ以上移動することはない。
【００２３】
次に、上記実施の形態における食器洗い機の動作、作用について説明する。
【００２４】
食器洗い機を設置する場合、キッチンの側壁に沿って食器洗い機の正面を手前に向けて置く場合と、側面を手前に向けて置く場合がある。最近のキッチンは、浴槽や給湯器などの給湯設備を集中的に制御するコントローラ（図示せず）をキッチンの側壁に設置しているのが一般的である。従来の食器洗い機をキッチンに設置する場合、食器洗い機の本体の高さより高い位置にコントローラが設置されている場合は問題ないが、コントローラが少し低く設置されている場合は、コントローラに設けられた表示部の視認性やスイッチ類の操作性を確保するために、食器洗い機を壁面から離して設置しなければならず、キッチンでの作業性を損なう。そして、コントローラがさらに低く設置されている場合は、食器洗い機を設置することができなかった。
【００２５】
しかしながら、本実施の形態によれば、本体１の上部形状が、前面から背面にかけて上方へ膨出する略円弧状に形成されているため、コントローラが低く設置されている場合でも、コントローラに接触することなく本体１を壁面に近づけて設置できる。また、使用者は上方から本体１の上部越しにコントローラを視認することができるため、表示部の視認性が得られるとともに、スイッチ類の操作性も確保される。
【００２６】
このように本実施の形態によれば、浴槽や給湯器などのコントローラを既設したキッチンにおいて、コントローラの視認性および操作性を確保し、設置性を高めることができる。
【００２７】
また、本体１の上部形状および上扉６の上部形状を、上方へ膨出する略円弧状に形成し、上扉６を本体１上部の円弧状部１ｃに沿うように移動して、洗浄槽２の前面から上面にかけて設けられた開口部４を開閉する構成としたため、開口部４を開いた時の本体１の高さを低く抑えることができ、吊戸棚等が既設しているなど、設置空間の高さが低い場所への設置を容易することができる。
【００２８】
また、従来の食器洗い機では、洗浄槽の背面から上面にかけての本体の側方から見た形状が略直角になっていたので、洗浄時に洗浄槽の背面から上面へ向けて流れる洗浄水が上面に届きにくく、上面から食器に降り注ぐ洗浄水が少ないため、被洗浄物の表面に付着した汚れの洗浄性能が低いが、本実施の形態によれば、洗浄槽２の上面への洗浄水量が増加するため、上面から被洗浄物１９に降り注ぐ洗浄水が多くなり、被洗浄物１９の表面に付着した汚れを確実に洗い流すことができる。
【００２９】
また、開口部４は、本体１の前面１ａと、前面１ａから上面にかけて外方へ膨らむように設けた円弧状部１ｃを含むように形成したことにより、食器カゴ３への被洗浄物１９のセットと取り出しを容易にして、被洗浄物１９のセット性が向上するとともに、浴槽や給湯器等のコントローラを既設したキッチンへの設置も容易になる。
【００３０】
また、洗浄槽２の上面に設けられた開口部４の上端部３９を、上方へ膨出する円弧状部１ｃの頂部１７の近傍に位置するように形成したことにより、洗浄槽２の上部面積の略半分を開口させることができる。このため、上段カゴ９の奥までの視野が広がるとともに、被洗浄物１９の出し入れを容易に行うことができる。特に、皿類の重心と上方へ膨出する円弧状部１ｃの中心の本体１の前面１ａからの距離をほぼ等しくなるように食器カゴ３を構成しているため、大皿等は洗浄槽２の開口部４の縁に接触することなく容易に出し入れできる。
【００３１】
このように本実施の形態によれば、洗浄槽２の上面の前面側の略半分までを開口部４とすることで、食器カゴ３への被洗浄物１９のセットと取り出しを容易にすることができ、被洗浄物１９のセット性を向上させることができる。
【００３２】
また、開口部４は、本体１の前面と上面を開放する構成のため、この開口部４を覆う扉体５は、同程度の本体寸法の従来の食器洗い機より上下方向に長くなる。このため、従来のような一枚扉で上開き構成とした場合は、扉体が邪魔になり被洗浄物の取り出しができない。また、一枚扉で下開き構成の場合は、正面置きであれば扉体が本体から手前に開かれて、キッチンカウンタ上の調理スペースがなくなり、縦置きであれば、水道栓に扉体が当たって扉を完全に開口することができなくなる、という問題があるが、本実施の形態によれば、扉体５を、上扉６と下扉７の二枚扉で構成しており、洗浄槽２の前面から上面にかけて設けられた開口部４の平面部１ｄの位置に扉体５の分割位置を設けて係合部１８を構成することにより、開口部４を開いた時の、下扉７の本体１前方への突出量を少なくして本体１設置時の本体１前方の設置奥行き寸法を小さくすることができ、水道栓などが本体１の近傍に存在する場合でも、本体１の設置性を向上させることができる。
【００３３】
また、上扉支持部２３は、扉体５の開成動作終了時に、本体１の上方へ膨出する円弧状部１ｃと交差する位置（点Ｄ）が、開口部４の上端部３９より後方になるように構成している。狭い台所のシンクサイドに、食器洗い機を設置する場合、本体１の開口部４を使用者の対面に置く正面置きよりも、台所の右あるいは左のシンクサイドに縦置き設置される場合の方が多い。この縦置き設置の場合、扉体５を開いて被洗浄物１９を出し入れするときは、開口部４の斜め前方から行うが、本実施の形態における上扉支持部２３は、上扉６を閉じたときにカバー３７内に収容されるように上方へ膨出する略円弧形状に形成されており、上扉６を開いたときは、上扉支持部２３が上方へ膨出する円弧状部１ｃと交差する位置より後方へと変位し、上扉支持部２３が開口部４を妨げない構成のため、視界が遮られることがなく、被洗浄物１９のセット性を向上させることができる。
【００３４】
また、上扉６に上扉支持部２３を収納するカバー３７を設け、扉体５を閉じた時に上扉支持部２３をカバー３７に収納可能に構成しているため、上扉支持部２３と上扉回動軸３７が本体１外に露出せず、埃やごみ等の異物が上扉回動軸２５にかみこんだり、堆積することを防ぐことができ、扉体５を円滑に開閉することができる。
【００３５】
また、移動軸２７と移動溝２８も、本体側面ボディ３８によって本体１外に露出しない構成としているので、埃やごみ等の異物が移動軸２７や移動溝２８内に入り込むのを防ぐことができる。
【００３６】
また、下扉７の回動に連動して、上扉６も回動する構成のため、扉体５の操作性および使い勝手を向上させることができる。
【００３７】
また、本実施の形態では、図５に示すように、上扉６の後端に、内方に突出する水受けリブ６ａを設けている。これにより、洗浄途中に扉体５を開成した時、水受けリブ６ａが、扉体５をつたって流れてきた水滴４１を受け止めるため、略円弧状の本体１に水滴４１が垂れることを防止し、水滴４１が本体１をつたってシンク５０にたどり着かないため、本体１およびシンク５０を常に清潔に保てるとともに、食器洗い機の背面部に配設されている電源コード（図示せず）の取りつけ部に水滴が付着することがなく、安全性を向上させることができる。なお、水受けリブ６ａは、上扉６を閉成した時に、たまった水滴４１を開口部４から洗濯槽２に戻すように形成されている。
【００３８】
（実施の形態２）
図６は、本発明の第２の実施の形態における食器洗い機の上部の断面図である。なお、上記第１の実施の形態における食器洗い機と同一部分については同一符合を付してその説明を省略する。
【００３９】
本実施の形態は、図６に示すように、上扉６に、被洗浄物１９を乾燥させる乾燥工程時に洗浄槽２内で発生した蒸気を外部に排出するための排気窓４２を設け、その排気窓４２の開口部（図示なし）を覆う蓋体４３を収容し、さらに、前記蓋体４３の上部先端部に、水滴を受ける水受けリブ４３ａを配置したもので、他の構成は上記実施の形態１と同じである。
【００４０】
上記構成による食器洗い機の動作、作用について説明する。
【００４１】
上扉６の動作については、上記実施の形態１と同じである。排気窓４２を、上扉６に構成することにより、本体１の上部を小さくすることが可能となり、開口部４を大きくすることができ被洗浄物１９の出し入れを容易に行うことができるとともに、上扉６と、蓋体４３を別構成とするため金型構成にとらわれず、開閉角度に応じて蓋体４３に水受けリブ４３ａを構成することができるため、より多くの水滴を受け取ることができ、製品の背面部に配設されている電源コードの取りつけ部への水滴付着の可能性をよりなくし、さらに安全性を向上させることができる。
【産業上の利用可能性】
【００４２】
以上のように、本発明にかかる食器洗い機は、食器カゴへの被洗浄物のセットと取り出しを容易にして、被洗浄物のセット性を格段に向上させることができるとともに、扉体開閉時に略円弧状の本体に水滴が垂れることを防止し、水滴が本体をつたってシンクにたどり着かないため、本体およびシンクを清潔に保てるとともに、製品の背面部に配設されている電源コードの取り付け部への水滴の付着がなく、安全性を向上させることができるもので、家庭用、業務用の食器洗い機や洗浄機等に適用できる。
【図面の簡単な説明】
【００４３】
【図１】本発明の実施の形態１における食器洗い機の断面図
【図２】同食器洗い機の扉の開閉構成を示す側面図
【図３】同食器洗い機の開口部を開いた時の側面図
【図４】同食器洗い機の側面図
【図５】（ａ）同食器洗い機の上部の断面図（上扉を閉じた状態）、（ｂ）同食器洗い機の上部の断面図（上扉を開いた状態）
【図６】（ａ）本発明の実施の形態２における食器洗い機の上部の断面図（上扉を閉じた状態）、（ｂ）同食器洗い機の上部の断面図（上扉を開いた状態）
【図７】従来の食器洗い機の側面図
【符号の説明】
【００４４】
１    本体
１ａ  前面
１ｂ  背面
１ｃ  円弧状部
２    洗浄槽
３    食器カゴ
４    開口部
５    扉体
６    上扉
６ａ、４３ａ  水受けリブ
７    下扉
１７  頂部
１８  係合部
２３  上扉支持部
３７  カバー
３９  上端部
【図１】
0004635946.tif 000002
【図２】
0004635946.tif 000003
【図３】
0004635946.tif 000004
【図４】
0004635946.tif 000005
【図５】
0004635946.tif 000006
【図６】
0004635946.tif 000007
【図７】
0004635946.tif 000008